(57)【要約】【課題】スクリーンを展開したときの意匠性を向上させるとともに、スクリーンを畳み込んだ際も、畳み込まれたスクリーンの左右のバランスを保つことができて意匠性を損なうことがないプリーツスクリーンを提供する。【解決手段】上下方向に複数のプリーツが形成された第１スクリーン１３１と、上下方向に第１スクリーン１３１と同じ間隔で複数のプリーツが形成され、第１スクリーン１３１よりも幅が狭く、ほぼ全幅にわたって第１スクリーン１３１とラップした状態で設けられる第２スクリーン１３２と、を備え、第１スクリーン１３１と第２スクリーン１３２とがラップしていない部分に、第１スクリーン１３１及び第２スクリーン１３２が折り畳まれたときの畳み代を補正するための補正部材１６０を設けた。【選択図】図２
2015081416.tif 000002
【特許請求の範囲】
【請求項１】
ヘッドボックス（１２０）に固定されて昇降コード（１４１、１４２）により昇降可能であり、上下方向に複数のプリーツが形成された第１スクリーン（１３１）と、
前記ヘッドボックスに固定されて前記昇降コードにより昇降可能であり、上下方向に前記第１スクリーンと同じ間隔で複数のプリーツが形成された第２スクリーン（１３２）と、
を備え、
前記第２スクリーンは、前記第１スクリーンよりも幅が狭く、ほぼ全幅にわたって前記第１スクリーンとラップした状態で設けられることを特徴とするプリーツスクリーン。
【請求項２】
ヘッドボックス（１２０）に固定されて昇降コード（１４１、１４２）により昇降可能であり、上下方向に複数のプリーツが形成された第１スクリーン（１３１）と、
前記ヘッドボックスに固定されて前記昇降コードにより昇降可能であり、上下方向に前記第１スクリーンと同じ間隔で複数のプリーツが形成され、前記第１スクリーンよりも幅が狭く、少なくとも一部が前記第１スクリーンとラップした状態で設けられる第２スクリーン（１３２）と、
を備え、
前記第１スクリーンと前記第２スクリーンとがラップしていない部分に、前記第１スクリーン及び第２スクリーンが折り畳まれたときの畳み代を補正するための補正部材（１６０、２００、３００）を設けたことを特徴とするプリーツスクリーン。
【請求項３】
前記第１スクリーンの幅方向の一端部と、前記第２スクリーンの幅方向の一端部とが、ほぼ一致することを特徴とする請求項２に記載のプリーツスクリーン。
【請求項４】
前記昇降コードは、前記第１スクリーンと前記第２スクリーンとがラップしている部分に設けられることを特徴とする請求項２又は請求項３に記載のプリーツスクリーン。
【請求項５】
前記昇降コードは、前記第１スクリーンと前記第２スクリーンとがラップしていない部分に設けられる第１昇降コード（１４１）と、前記第１スクリーンと前記第２スクリーンとがラップしている部分に設けられる第２昇降コード（１４２）と、を含み、
前記補正部材は、前記第１昇降コードに沿って設けられることを特徴とする請求項２又は請求項３に記載のプリーツスクリーン。
【請求項６】
前記補正部材（１６０）は、前記第１スクリーンのプリーツ毎にプレート状で設けられることを特徴とする請求項２〜請求項５のいずれか１項に記載のプリーツスクリーン。
【請求項７】
前記プレート状の補正部材には、前記昇降コードを挿通するための挿通孔と、該挿通孔からプレートの端部まで形成されたスリットと、が形成され、
前記挿通孔は、プレートの中心からスリットとは反対側にオフセットされていることを特徴とする請求項６に記載のプリーツスクリーン。
【請求項８】
前記補正部材（２００）は、前記第１スクリーンの上下方向の全長にわたり、スクリーン状で設けられることを特徴とする請求項２〜請求項５のいずれか１項に記載のプリーツスクリーン。
【発明の詳細な説明】
【技術分野】
【０００１】
本発明は、上下方向に複数のプリーツが設けられたスクリーンを備えたプリーツスクリーンに関する。
【背景技術】
【０００２】
プリーツの間隔が互いに同じである複数のスクリーンの側端部同士をラップさせて、所望の大きさのスクリーン幅になるようにしたプリーツスクリーンが知られている（例えば、特許文献１参照）。このプリーツスクリーンでは、ラップさせるスクリーンの数によって、幅の異なるスクリーンを構成したり、異なる色や柄のスクリーンを組み合わせて、種々の柄模様の縦ストライプを有するスクリーンを構成して、意匠性を向上させたりしている。
【先行技術文献】
【特許文献】
【０００３】
【特許文献１】特公昭５４−９８３０号公報
【発明の概要】
【発明が解決しようとする課題】
【０００４】
ところで、顧客がプリーツスクリーンを選ぶ際には、スクリーンの色や柄のみならず、生地の種類も選択の対象となる。このため、スクリーンとして様々な種類の生地が用いられる。しかし、複数のスクリーンの側端部同士をラップさせて１つのスクリーンを構成するため、例えば、スクリーンに透け感のある生地を用いると、ラップされた部分とラップされていない部分とで透け感が異なることになる。このため、スクリーン全面で均一的な透け感を得ることができず、意匠的な違和感が生じるという問題があった。
【０００５】
また、組み合わせるスクリーンは、幅の異なるものを用いてもよいため、大きい幅のスクリーンの一側端部から小さい幅のスクリーンが側方に若干突出するような形にラップさせてスクリーンを構成することができる。この場合、スクリーンを畳み込んだ際に、スクリーンの幅方向の一端部は２枚分のスクリーンの畳み代となるが、スクリーンの幅方向の他端部は１枚分のスクリーンの畳み代にしかならない。したがって、プリーツスクリーンの左右でスクリーンの畳み代が異なることになる。このため、スクリーンが斜めに畳み込まれたような状態になり、バランス感が悪く、やはり意匠性を損なうという問題があった。
【０００６】
そこで、本発明は、このような問題に鑑みてなされたもので、その目的とするところは、スクリーンを展開したときの意匠性を向上させるとともに、スクリーンを畳み込んだ際も、畳み込まれたスクリーンの左右のバランスを保つことができて、意匠性を損なうことのないプリーツスクリーンを提供することにある。
【課題を解決するための手段】
【０００７】
上記課題を解決するために、本発明によれば、ヘッドボックスに固定されて昇降コードにより昇降可能であり、上下方向に複数のプリーツが形成された第１スクリーンと、ヘッドボックスに固定されて昇降コードにより昇降可能であり、上下方向に第１スクリーンと同じ間隔で複数のプリーツが形成された第２スクリーンと、を備え、第２スクリーンは、第１スクリーンよりも幅が狭く、ほぼ全幅にわたって第１スクリーンとラップした状態で設けられることを特徴とするプリーツスクリーンを提供する。
【０００８】
かかる発明によれば、第１スクリーンの正面に第１スクリーンよりも幅が狭い第２スクリーンのほぼ全幅をラップすると、スクリーンを正面から見たときに、第２スクリーンがアクセントとなって意匠性を向上させることができる。また、第２スクリーンに、例えば透け感がある生地を使用しても、第２スクリーンの背面には第１スクリーンが配置されており、第２スクリーンに部分的に透け感が異なる箇所が生じない。したがって、第２スクリーンの生地の種類に関係なく、意匠性を向上させることができる。なお、「ほぼ全幅」とは、視覚的に「全幅」と差異が感じられない程度の構成をいう。また、本明細書中、「ほぼ全幅」のことを、単に「全幅」ともいう。
【０００９】
また、本発明によれば、ヘッドボックスに固定されて昇降コードにより昇降可能であり、上下方向に複数のプリーツが形成された第１スクリーンと、ヘッドボックスに固定されて昇降コードにより昇降可能であり、上下方向に第１スクリーンと同じ間隔で複数のプリーツが形成され、第１スクリーンよりも幅が狭く、少なくとも一部が第１スクリーンとラップした状態で設けられる第２スクリーンと、を備え、第１スクリーンと第２スクリーンとがラップしていない部分に、第１スクリーン及び第２スクリーンが折り畳まれたときの畳み代を補正するための補正部材を設けたことを特徴とするプリーツスクリーンを提供する。
【００１０】
かかる発明によれば、スクリーンを畳み込んだ際に、第１スクリーンと第２スクリーンとがラップしていない部分の畳み代を補正部材によって補正して、第１スクリーンと第２スクリーンがラップしている部分の畳み代と同程度にすることができる。このため、スクリーンは斜めに畳み込まれたような状態にならない。よって、畳み込まれたスクリーンの左右のバランスを保つことができるため、スクリーンを畳み込んだ際の意匠性を損なうことがない。
【００１１】
また、第１スクリーンの幅方向の一端部と、前記第２スクリーンの幅方向の一端部とが、ほぼ一致するようにしてもよい。これにより、第２スクリーンの背面には第１スクリーンが配置されるため、第２スクリーンに、例えば透け感がある生地を使用しても、第２スクリーンに部分的に透け感が異なる箇所が生じない。したがって、第２スクリーンの生地の種類に関係なく、意匠性を向上させることができる。なお、「ほぼ一致」とは、視覚的に「一致」と差異が感じられない程度の構成をいう。また、本明細書中、「ほぼ一致」のことを、単に「一致」ともいう。
【００１２】
また、昇降コードは、第１スクリーンと前記第２スクリーンとがラップしている部分に設けられるようにしてもよい。これにより、第１スクリーンと第２スクリーンとの離隔が防止されるため、第１スクリーンと第２スクリーンとの一体的な畳み込み、及び展開を確実にすることができる。
【００１３】
また、昇降コードは、第１スクリーンと第２スクリーンとがラップしていない部分に設けられる第１昇降コードと、第１スクリーンと第２スクリーンとがラップしている部分に設けられる第２昇降コードと、を含み、補正部材は、第１昇降コードに沿って設けられるようにしてもよい。このように、第１スクリーンと第２スクリーンとがラップしていない部分に設けられる第１昇降コードに補正部材を設けることにより、第１昇降コード付近のスクリーンの畳み代を補正部材によって補正して、第１スクリーンと第２スクリーンがラップしている第２昇降コード付近のスクリーンの畳み代と同程度にすることができる。これにより、畳み込まれたスクリーンの左右のバランスを保つことができ、意匠性を損なうことがない。
【００１４】
ここで、補正部材は、第１スクリーンのプリーツ毎にプレート状で設けられるようにしてもよい。これにより、スクリーンを畳み込んだ際に、第１スクリーンのプリーツ毎の畳み代が揃うので、意匠性を損なうことがない。
【００１５】
また、プレート状の補正部材には、昇降コードを挿通するための挿通孔と、該挿通孔からプレートの端部まで形成されたスリットと、が形成され、挿通孔は、プレートの中心からスリットとは反対側にオフセットされているようにしてもよい。これにより、スリットを介して昇降コードを挿通孔に挿通させるだけで、補正部材を昇降コードに取り付けることができ、スリットを介して挿通孔から昇降コードを引き出すだけで、補正部材を昇降コードから取り外すことができる。このため、補正部材を第１スクリーンに簡単に着脱することができる。
【００１６】
さらに、挿通孔がプレートの中心からスリットの反対側にオフセットしているため、補正部材を昇降コードに取り付けると、スリットは常に昇降コードの下流側に配置されることになる。このため、スリットの端部が昇降コードから常に離間した状態になるので、昇降コードがスリットに引っ掛かることを防止することができる。これにより、スクリーンの畳み込み、及び展開の操作時に、昇降する昇降コードがスリットに引っ掛って、補正部材が昇降コードから外れたり、スクリーンの正常な畳み込みが行われなかったりすることを防止することができる。
【００１７】
また、補正部材は、第１スクリーンの上下方向の全長にわたり、スクリーン状で設けられるようにしてもよい。これにより、補正部材として特別な部品を用意する必要が無いため、部品点数及びコストを削減することができる。また、補正部材に第２スクリーンと共通の原反を利用すると、部品点数及びコストを更に削減することができる。
【発明の効果】
【００１８】
本発明によれば、第１スクリーンよりも幅が狭い第２スクリーンのほぼ全幅を第１スクリーンにラップする構成にしたことにより、第１スクリーンの正面に第２スクリーンをラップすると、スクリーンを正面から見たときに、第２スクリーンがアクセントとなって意匠性を向上させることができる。また、第２スクリーンの背面にはほぼ全幅にわたって第１スクリーンが配置されるため、第２スクリーンの生地の種類に関係なく、第２スクリーンに部分的に透け感が異なる個所が生じない。これにより、意匠性を向上させることができる。
【００１９】
また、スクリーンを畳み込んだ際に、第１スクリーンと第２スクリーンとがラップしていない部分の畳み代を補正部材によって補正して、第１スクリーンと第２スクリーンがラップしている部分の畳み代と同程度にすることができる。このため、スクリーンが斜めに畳み込まれたような状態にならない。よって、畳み込まれたスクリーンの左右のバランスを保つことができるため、スクリーンを畳み込んだ際の意匠性を損なうことがない。
本発明のその他の効果については、以下の発明を実施するための形態の項でも説明する。
【図面の簡単な説明】
【００２０】
【図１】本発明の第１の実施形態にかかるプリーツスクリーンの正面図である。
【図２】図１の背面図である。
【図３】図１における第２昇降コード付近のスクリーンの部分斜視図である。
【図４】図２における第１昇降コード付近のスクリーンの部分斜視図である。
【図５】スクリーンの部分側断面図であり、（ａ）は第２昇降コード部分であり、（ｂ）は第１昇降コード部分であり、（ｃ）は第２昇降コード部分のスクリーンを折り畳んだ状態であり、（ｄ）は第１昇降コード部分のスクリーンを折り畳んだ状態である。
【図６】スクリーンを畳み込んだ状態を示す正面図であり、（ａ）は第１の実施形態にかかるプリーツスクリーンであり、（ｂ）は補正部材を設けていない例である。
【図７】第２の実施形態にかかるプリーツスクリーンの背面図である。
【図８】図７における第１昇降コード付近のスクリーンの部分斜視図である。
【図９】第２の実施形態の第１昇降コード部分のスクリーンの部分側断面図である。
【図１０】第３の実施形態にかかる補正部材を用いたスクリーンの第１昇降コード部分の部分側断面図である。
【図１１】第４の実施形態のスクリーンの背面側の部分斜視図である。
【図１２】第５の実施形態のプリーツスクリーンの正面図である。
【発明を実施するための形態】
【００２１】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２２】
（第１の実施形態）
第１の実施形態にかかるプリーツスクリーンについて、図１〜図６を参照しながら説明する。図１は、プリーツスクリーンの正面図である。図２は、図１の背面図である。図３は、図１における第２昇降コード付近のスクリーンの部分斜視図である。図４は、図２における第１昇降コード付近のスクリーンの部分斜視図である。図５は、スクリーンの部分側断面図である。図６は、スクリーンを畳み込んだ状態を示す正面図である。
【００２３】
まず、図１及び図２を参照しながら、本実施形態にかかるプリーツスクリーン１００の構成を説明する。プリーツスクリーン１００は、図１及び図２に示したように、ブラケット１１０により図示していない窓枠等に固定されるヘッドボックス１２０と、ヘッドボックス１２０に上端が連結されるスクリーン１３０と、スクリーン１３０の畳み込み、及び展開を行う第１昇降コード１４１及び第２昇降コード１４２と、スクリーン１３０の下端に連結されるボトムレール１５０と、スクリーン１３０が畳み込まれた際に、スクリーン１３０の畳み代を補正する、図２に示した補正部材１６０と、を備えて構成される。以下、プリーツスクリーン１００の各構成について詳細に説明する。
【００２４】
（ヘッドボックス１２０）
ヘッドボックス１２０は、図１及び図２に示したように、長尺な直方体状に構成されており、これのほぼ全長にわたってスクリーン１３０の上端部が連結される。ヘッドボックス１２０の一端には第１、第２昇降コード１４１、１４２の移動を拘束するストッパ１２１が設けられている。また、ヘッドボックス１２０の一端の正面には、ヘッドボックス１２０から外部に導出される第１、第２昇降コード１４１、１４２が挿通する開口１２２が形成されている。
【００２５】
（スクリーン１３０）
スクリーン１３０は、図１及び図２に示したように、ヘッドボックス１２０の長手方向ほぼ全長にわたる大きさの第１スクリーン１３１と、第１スクリーン１３１よりも幅が狭い第２スクリーン１３２と、を備えて構成される。第１及び第２スクリーン１３１、１３２は、図３に示したように、上下方向に複数のプリーツが設けられており、プリーツの間隔が互いに同じ大きさに設定されている。第２スクリーン１３２の幅方向の一端部１３２ａと第１スクリーン１３１の幅方向の一端部１３１ａとが一致するように、第２スクリーン１３２の全幅が第１スクリーン１３１の正面にラップしている。第１スクリーン１３１の幅方向２か所に、第１、第２昇降コード１４０が挿通する挿通孔１３１ｂが形成されている。第２スクリーン１３２には、幅方向１か所に第２昇降コード１４２が挿通する挿通孔１３２ｂが形成されている。第２スクリーン１３２の挿通孔１３２ｂは、第１スクリーン１３１の一方の挿通孔１３１ｂに重なり合う位置にある。
【００２６】
（第１、第２昇降コード１４１、１４２）
第１、第２昇降コード１４１、１４２は、図１及び図２に示すように、スクリーン１３０の幅方向に設けられており、第１昇降コード１４１は第１スクリーン１３１のみを挿通している。そして、第２昇降コード１４２は第１スクリーン１３１と第２スクリーン１３２とを一体的に挿通しており、これにより、第１スクリーン１３１と第２スクリーン１３２との離隔が防止されている。このため、第１スクリーン１３１と第２スクリーン１３２との一体的な畳み込み及び展開を確実にすることができる。
【００２７】
第１、第２昇降コード１４１、１４２は、ともに、一端がボトムレール１５０に連結されており、第１昇降コード１４１の他端が、第１スクリーン１３１の各挿通孔１３１ｂを挿通してヘッドボックス１２０内に導入される。また、第２昇降コード１４２の他端は、第１スクリーン１３１及び第２スクリーン１３２の各挿通孔１３１ｂ、１３２ｂを挿通してヘッドボックス１２０内に導入される。両昇降コード１４１、１４２は、ヘッドボックス１２０内を長手方向に配回され、ストッパ１２１を介して開口１２２から外部にそれぞれ導出されて、つまみ１４３に連結される。つまみ１４３には操作コード１４４の一端が連結されており、操作コード１４４の他端はボトムレール１５０の一端に連結される。つまみ１４３や操作コード１４４を操作することにより、両昇降コード１４１、１４２が一体的に操作される。
【００２８】
（補正部材１６０）
補正部材１６０は、図４に示したように、プレート状をしており、第２スクリーン１３２のほぼ２倍の厚みを有している。また、補正部材１６０は、プレートの端部から中心部を超えて延びるスリット１６０ａと、スリット１６０ａの先端に形成され、第１昇降コード１４１が挿通する挿通孔１６０ｂと、を備えている。このように、挿通孔１６０ｂがプレートの中心からスリット１６０ａの反対側にオフセットしているため、図５（ｂ）に示したように、挿通孔１６０ｂに第１昇降コード１４１を挿通させた際に、第１昇降コード１４１の上流側に挿通孔１６０ｂが配置され、下流側にスリット１６０ａが配設されることになる。補正部材１６０は複数設けられており、第１スクリーン１３１の裏面側において、全てのプリーツの上向きの斜面上に設けられる。補正部材１６０の第１スクリーン１３１への取り付け及び取り外しは、第１昇降コード１４１をスリット１６０ａを介して挿通孔１６０ｂに挿通させたり、挿通孔１６０ｂから取り外したりすることによって行われる。
【００２９】
次に、本実施形態にかかるプリーツスクリーン１００の動作について、図５及び図６を参照しながら説明する。
【００３０】
まず、スクリーン１３０が展開しているときには、図５（ａ）に示したように、第１スクリーン１３１及び第２スクリーン１３２はラップされた状態を保ちながら展開している。一方、第１スクリーン１３１のみの部分は、図５（ｂ）に示したように、各補正部材１６０が、第１スクリーン１３１の裏面において全てのプリーツの上向きの斜面上に載置された状態となっている。
【００３１】
このようにスクリーン１３０が展開している状態から、スクリーン１３０を畳み込む場合、操作コード１４４を引き下げる操作を行う。これにより、つまみ１４３とともに第１、第２昇降コード１４１、１４２の他端が引き下げられ、第１、第２昇降コード１４１、１４２の一端とともにボトムレール１５０が引き上げられる。よって、スクリーン１３０のプリーツが下方から上方に向かって順次畳み込まれていく。そして、図６（ａ）に示したように、ボトムレール１５０を最も引き上げると、スクリーン１３０の全てのプリーツが畳み込まれた状態となる。この後、第１、第２昇降コード１４１、１４２を操作し、ストッパ１２１によって第１、第２昇降コード１４１、１４２の移動を拘束させる。これにより、スクリーン１３０の畳み込まれた状態が維持される。
【００３２】
この状態において、第１スクリーン１３１及び第２スクリーン１３２がラップしている部分は、図５（ｃ）に示したように、第２スクリーン１３２の畳み込まれたプリーツ間に、第１スクリーン１３１が畳み込まれて重なり合ったプリーツが挟み込まれた状態になる。一方、第１昇降コード１４１付近の第１スクリーン１３１は、図５（ｄ）に示したように、畳み込まれたプリーツ間に補正部材１６０が挟み込まれた状態になる。補正部材１６０はこれの厚みが第２スクリーン１３２の厚みのほぼ２倍であるため、畳み込まれたスクリーン１３０の畳み代は、補正部材１６０が設けられている部分と第２スクリーン１３２がラップしている部分とで同程度の厚みになる。よって、図６（ａ）に示したように、スクリーン１３０の畳み代が幅方向において同程度になるため、左右のバランスを保つことができ、スクリーン１３０を畳み込んだ際の意匠性を損なうことがない。
【００３３】
しかし、図６（ｂ）に示したように、仮に、補正部材１６０を設けないと、スクリーン１３０を畳み込んだ際に、第１スクリーン１３１のみの部分の畳み代よりも、第２スクリーン１３２がラップしている部分の畳み代の方が厚くなる。このため、スクリーン１３０が斜めに畳み込まれたような状態になり、スクリーン１３０を畳み込んだ際の意匠性が損なわれる。
【００３４】
つぎに、畳み込まれたスクリーン１３０を展開する動作について説明する。
第１、第２昇降コード１４１、１４２を操作して、ストッパの拘束を解除する。これにより、第１、第２昇降コード１４１、１４２は移動自在になるので、ボトムレール１５０が自重により下降し、スクリーン１３０が上部から順次展開していく。ボトムレール１５０が最も下降すると、スクリーン１３０全体が展開された状態になる。
【００３５】
以上説明したように、本実施形態によれば、第２スクリーン１３２の幅方向の一端部１３２ａと第１スクリーン１３１の幅方向の一端部１３１ａとが一致するように、第２スクリーン１３２の全幅を第１スクリーン１３１の正面にラップすることにより、スクリーン１３０を正面から見たときに、第２スクリーン１３２がアクセントとなって意匠性を向上させることができる。また、第２スクリーン１３２に、例えば透け感がある生地を使用しても、第２スクリーン１３２の背面には第１スクリーン１３１が必ず配置されているため、第２スクリーン１３２に部分的に透け感の異なる箇所が生じることはない。このため、第２スクリーン１３２の生地の種類に関係なく、意匠性を向上させることができる。
【００３６】
また、補正部材１６０をプレート状とし、第１スクリーン１３１のプリーツ毎に補正部材１６０を設けたことにより、スクリーン１３０を畳み込んだ際に、畳み込まれた第１スクリーン１３１の各プリーツ間には、補正部材が必ず配置されることになる。このため、プリーツ毎の畳み代が揃うので、意匠性を損なうことがない。
【００３７】
また、補正部材１６０の厚みを第２スクリーン１３２の厚みのほぼ２倍にしたことにより、スクリーン１３０を折畳んだ際に、第１スクリーン１３１と第２スクリーン１３２がラップしている部分の１つのプリーツの畳み代と、第１スクリーン１３１と補正部材１６０とが重なり合った部分の１つのプリーツの畳み代とが同程度の厚みになる。これにより、スクリーン１３０の幅方向においてプリーツ毎の畳み代が揃い、意匠性を損なうことがない。
【００３８】
また、スリット１６０ａを介して第１昇降コード１４１を挿通孔１６０ｂに挿通させるだけで、補正部材１６０を第１スクリーン１３１に取り付けるようにしたため、補正部材１６０を第１スクリーン１３１に簡単に着脱することができる。
【００３９】
さらに、挿通孔１６０ｂをプレートの中心からスリット１６０ａの反対側にオフセットさせているため、補正部材１６０を第１昇降コード１４１に取り付けると、昇降コード１４１の上流側に挿通孔１６０ｂが配置され、下流側にスリット１６０ａが配置されることになる。これにより、スリット１６０ａの端部が第１昇降コード１４１から離間した状態になり、第１昇降コード１４１がスリット１６０ａに引っ掛かることを防止することができる。よって、スクリーン１３０が畳み込まれたり展開されたりする動作時に、第１昇降コード１４１が昇降しても、第１昇降コード１４１がスリット１６０ａに引っ掛って、補正部材１６０が第１昇降コード１４１から外れたり、スクリーン１３０の正常な畳み込みが行われなかったりすることを防止することができる。
【００４０】
（第２の実施形態）
次に、第２の実施形態にかかるプリーツスクリーンについて、図７〜図９を参照しながら説明する。本実施形態は、上記第１の実施形態にかかるプリーツスクリーン１００のうち、補正部材に特徴を有するものである。本実施形態では、補正部材と補正部材が設けられる第１昇降コード付近の構成についてのみ説明することとし、その他の部分については、上記第１の実施形態と同様であるため、重複説明を省略する。図７は、本実施形態にかかるプリーツスクリーンの背面図である。図８は、図７における第１昇降コード付近のスクリーンの部分斜視図である。図９は、第１昇降コード部分のスクリーンの部分側断面図である。
【００４１】
本実施形態の補正部材は、図７に示したように、第１スクリーン１３１の裏面に設けられる第３スクリーン２００であり、第３スクリーン２００は、第１昇降コード１４１に沿って高さ方向全長にわたって設けられる。第３スクリーン２００は、図８及び図９に示すように、第１スクリーン１３１とプリーツの間隔が同じであり、第１スクリーン１３１の裏面にラップしている。第３スクリーン２００には、第１昇降コード１４１が挿通する挿通孔２００ａが設けられており、第１スクリーン１３１の挿通孔１３１ｂと第３スクリーン２００の挿通孔２００ａとを第１昇降コード１４１が一体的に挿通している。これにより、第１スクリーン１３１と第３スクリーン２００との離隔が防止されるため、第１スクリーン１３１と第３スクリーン２００との一体的な畳み込み、及び展開を確実にすることができる。
【００４２】
第３スクリーン２００は、大きさについての規定はないが、第１スクリーン１３１を正面から見たときにシルエットが現れたりすることや、大きな生地を使用することのコストを考慮すると、第２スクリーンよりも小幅であり、最小限、挿通孔２００ａを形成することができる程度の幅があればよい。また、第３スクリーン２００は、第２スクリーン１３２と同程度の厚みを有していると良く、第２スクリーン１３２と共通の原反を利用してもよい。
【００４３】
以上説明したように、本実施形態によれば、補正部材として第３スクリーン２００を設けることにより、特別な部品を用意する必要がないため、部品点数及びコストを削減することができる。また、仮に、第３スクリーン２００に第２スクリーン１３２と共通の原反を利用する場合、部品点数及びコストをさらに削減することができる。
【００４４】
さらに、第３スクリーン２００に第２スクリーン１３２と共通の原反を用いたり、第２スクリーン１３２と同程度の厚みを有するものを用いると、第１昇降コード１４１付近のスクリーン１３０の畳み代と、第２昇降コード１４２付近のスクリーン１３０の畳み代とを同様の厚みにすることができる。さらに、スクリーン１３０の各プリーツ単位の畳み代も第１昇降コード１４１付近と第２昇降コード１４２付近とで同様の厚みにすることができる。これにより、スクリーン１３０を畳み込んだ際に、スクリーン１３０の幅方向において、スクリーン１３０全体の畳み代のみならず、各プリーツ単位の畳み代も同程度にすることができるため、意匠性を損なうことがない。
【００４５】
（第３の実施形態）
次に、第３の実施形態にかかるプリーツスクリーンについて、図１０を参照しながら説明する。本実施形態は、上記第１の実施形態にかかるプリーツスクリーン１００のうち、補正部材に特徴を有するものである。本実施形態では、補正部材と補正部材が設けられる第１昇降コード１４１付近の構成についてのみ説明することとし、その他の部分については、上記第１の実施形態と同様であるため、重複説明を省略する。図１０は、本実施形態にかかる補正部材を用いたスクリーンの第１昇降コード部分の部分側断面図である。
【００４６】
本実施形態の補正部材は、図１０に示したように、第１スクリーン１３１の裏面に設けられる板バネ３００であり、第１スクリーン１３１のプリーツの形状に対応した「く」の字の形状を有している。板バネ３００は、第１スクリーン１３１の全てのプリーツにそれぞれ配置されており、第１スクリーン１３１の挿通孔１３１ｂに対応する位置に、第１昇降コード１４１が挿通する挿通孔３００ａがそれぞれ形成されている。板バネ３００は、第２スクリーン１３２と同程度の厚みを有している。板バネ３００は、第１スクリーン１３１の挿通孔１３１ｂと板バネ３００の挿通孔３００ａとを第１昇降コード１４１が一体的に挿通することにより、第１スクリーン１３１との離隔が防止されており、第１スクリーン１３１と板バネ３００とが一体的に畳み込み、及び展開される。
【００４７】
以上説明したように、本実施形態によれば、補正部材を第１スクリーン１３１のプリーツの形状に対応した「く」の字の形状の板バネ３００としたことにより、板バネ３００の弾性力により、板バネ３００（すなわち、補正部材）自体が第１スクリーン１３１に適合するように常時付勢される。このため、第１スクリーン１３１と板バネ３００との一体的な畳み込み及び展開を確実にすることができる。
【００４８】
また、板バネ３００は、第２スクリーン１３２とほぼ同じ厚みを有しているため、スクリーン１３０を畳み込んだときの、第１昇降コード１４１付近のスクリーン１３０の畳み代と、第２昇降コード１４２付近のスクリーン１３０の畳み代とを同程度にすることができる。これにより、スクリーン１３０を畳み込んだ際に、畳み込まれたスクリーン１３０の左右のバランスを保つことができるため、意匠性を損なうことがない。
【００４９】
（第４の実施形態）
次に、第４の実施形態にかかるプリーツスクリーンについて、図１１を参照しながら説明する。本実施形態は、上記第１の実施形態にかかるプリーツスクリーン１００のうち、第２スクリーン１３２に特徴を有するものである。本実施形態では、第２スクリーン１３２が設けられる部分についてのみ説明することとし、その他の部分については、上記第１の実施形態と同様であるため、重複説明を省略する。図１１は、本実施形態にかかるスクリーンの背面側の部分斜視図である。
【００５０】
本実施形態は、図１１に示したように、第２スクリーン１３２の幅方向の一端部と第１スクリーン１３１の幅方向の一端部とがほぼ一致するように、第２スクリーン１３２のほぼ全幅を第１スクリーン１３１の正面にラップさせたものである。より具体的には、第２スクリーン１３２の幅方向の一端部が、第１スクリーン１３１の幅方向の一端部から数ミリ程度側方に突出するように、第２スクリーン１３２を第１スクリーン１３１の正面にラップさせたものである。
【００５１】
一般的には、昇降コードの径寸法よりもスクリーンの挿通孔の径寸法の方が大きく形成されている。このため、本実施形態のように、２枚のスクリーンを重ね合わせて昇降コードを挿通させた場合、両スクリーンの重なり合いにずれか生じる可能性がある。そして、ずれが生じると、表に配置されているスクリーンの幅方向の一端部から裏に配置されているスクリーンが突出して見えてしまう場合がある。しかし、本実施形態の場合、第１スクリーン１３１の正面に設けられる第２スクリーン１３２の幅方向の一端部を第１スクリーン１３１の幅方向の一端部から数ミリ程度側方に突出させているため、ずれが生じても第１スクリーン１３１が第２スクリーン１３２の一端部から突出して見えてしまうことがない。
【００５２】
なお、本実施形態では、第２スクリーン１３２の幅方向の一端部と第１スクリーン１３１の幅方向の一端部とが「ほぼ一致」するようにしたが、この「ほぼ一致」とは、具体的には第２スクリーン１３２の一端部が第１スクリーン１３１よりも数ミリ程度突出しているだけである。この数ミリ程度の突出は、視覚的には、両スクリーン１３１、１３２の一端部が一致していると感じられる程度のものである。
【００５３】
（第５の実施形態）
次に、第５の実施形態にかかるプリーツスクリーンについて、図１２を参照しながら説明する。本実施形態は、上記第１の実施形態にかかるプリーツスクリーン１００のうち、第２スクリーン１３２に特徴を有するものである。本実施形態では、第２スクリーン１３２が設けられる部分についてのみ説明することとし、その他の部分については、上記第１の実施形態と同様であるため、重複説明を省略する。図１２は、本実施形態にかかるプリーツスクリーンの正面図である。
【００５４】
本実施形態は、図１２に示したように、第２スクリーン１３２の幅を第１の実施形態の第２スクリーン１３２の幅よりも小さくしたものであり、第２スクリーン１３２の幅方向の両端部の両側方に第１スクリーン１３１がそれぞれ現れるようにしたものである。
【００５５】
これにより、本実施形態によれば、第２スクリーン１３２がアクセントとなって意匠性を向上させることができる。また、第２スクリーン１３２に、例えば透け感がある生地を使用しても、第２スクリーン１３２の背面には第１スクリーン１３１が配置されており、第２スクリーン１３２に部分的に透け感が異なる箇所が生じない。このように、第２スクリーン１３２の生地の種類に関係なく、意匠性を向上させることができる。
【００５６】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５７】
なお、上記第１〜第３の実施形態において、第２スクリーン１３２を第１スクリーン１３１よりも幅が狭く、少なくとも一部が前記第１スクリーン１３１とラップした状態で設けられるものとしてもよい。これにより、上記各実施形態と同様に、スクリーン１３０を畳み込んだ際に、第１スクリーン１３１と第２スクリーン１３２とがラップしていない部分の畳み代を補正部材によって補正して、第１スクリーン１３１と第２スクリーン１３２がラップしている部分の畳み代と同程度にすることができる。このため、スクリーン１３０は斜めに畳み込まれたような状態にならない。よって、畳み込まれたスクリーン１３０の左右のバランスを保つことができるため、スクリーン１３０を畳み込んだ際の意匠性を損なうことがない。
【００５８】
また、上記各実施形態において、第１スクリーン１３１の正面に第２スクリーン１３２を１つ設けたが、複数の第２スクリーン１３２を設けることもできる。また、第２スクリーン１３２を複数設ける場合、それぞれの第２スクリーン１３２に、異なる柄や種類のものを用いていてもよい。
【００５９】
また、上記各実施形態において、昇降コードを２本設けたが、３本以上設けることもできる。昇降コードを３本以上設ける場合、補正部材は、第１スクリーン１３１のみを挿通する全ての昇降コードに設けてもよく、また、最も幅方向端部寄りの昇降コードのみに設けてもよい。
【００６０】
また、ヘッドボックス１２０に回転軸と回転軸と一体に回転する複数の巻取ドラムとを設け、回転軸を回転させることにより、各巻取ドラムによって、第１、第２昇降コード１４１、１４２を巻取り及び巻解くことによってスクリーン１３０を昇降させるようにすることもできる。回転軸は、ヘッドボックス１２０の一端に操作コードを設け、この操作コードによって回転させるようにしてもよい。また、回転軸は、ヘッドボックス１２０内にモータを設け、このモータを駆動させることによって、回転させるようにしてもよい。
【符号の説明】
【００６１】
１２０  ヘッドボックス
１３０  スクリーン
１３１  第１スクリーン
１３２  第２スクリーン
１４１  第１昇降コード
１４２  第２昇降コード
１６０  補正部材
１６０ａ  スリット
１６０ｂ  挿通孔
２００  第３スクリーン（補正部材）
３００  板バネ（補正部材）
【図１】
2015081416.tif 000003
【図２】
2015081416.tif 000004
【図３】
2015081416.tif 000005
【図４】
2015081416.tif 000006
【図５】
2015081416.tif 000007
【図６】
2015081416.tif 000008
【図７】
2015081416.tif 000009
【図８】
2015081416.tif 000010
【図９】
2015081416.tif 000011
【図１０】
2015081416.tif 000012
【図１１】
2015081416.tif 000013
【図１２】
2015081416.tif 000014